(57)【特許請求の範囲】
【請求項１】
コンクリート造の建物の梁を構成するコンクリートを打設するための梁型枠を、下階の梁や床のコンクリートの打設が完了していない状態で設置するための梁型枠の支持構造であって、
前記梁型枠を構築が完了した柱又は壁に反力を取って支持する支持部を備えてなることを特徴とする梁型枠の支持構造。
【請求項２】
前記支持部は、前記梁型枠を下方より支持する型枠受部材と、
前記型枠受部材と、前記柱又は壁の前記型枠受部材よりも下方の位置との間を結ぶように設けられた支持部材と、を有することを特徴とする請求項１記載の梁型枠の支持構造。
【請求項３】
前記支持部は、前記梁型枠を下方より支持する型枠受部材と、
前記柱又は壁に設けられ、前記型枠受部材を下方より支持する型枠受支持部材と、を有することを特徴とする請求項１記載の梁型枠の支持構造。
【請求項４】
前記支持部は、前記梁型枠を下方より支持する型枠受部材と、
前記型枠受部材と、前記柱又は壁の前記型枠受部材よりも上方の位置との間を結ぶように設けられた支持部材と、を有することを特徴とする請求項１記載の梁型枠の支持構造。
【請求項５】
前記柱はＰＣ部材を用いて構築されていることを特徴とすることを特徴とする請求項１から４のうち何れかに記載の梁型枠の支持構造。
【請求項６】
コンクリート造の建物の梁を構成するコンクリートを打設するための梁型枠を、下階の梁や床のコンクリートの打設が完了していない状態で支持する方法であって、
前記梁型枠を構築が完了した柱又は壁に反力を取って支持することを特徴とする梁型枠の支持方法。
【請求項７】
コンクリート造の建物の梁を構成するコンクリートを打設するための梁型枠を、下階の梁や床のコンクリートの打設が完了していない状態で設置するための梁型枠ユニットであって、
前記梁の外周面の少なくとも一部に沿うように設置された梁型枠と、
前記梁型枠を構築が完了した柱又は壁に反力を取って支持する支持部と、を備えることを特徴とする梁型枠ユニット。
【請求項８】
コンクリート造の柱梁架構を構築する方法であって、
前記柱を構築する工程と、
前記構築した柱の間に梁筋を配筋する工程と、
下階の梁や床のコンクリートの打設が完了していない状態で、前記構築した柱又は構築済みの壁に反力を取って支持されるように梁型枠を設置する工程と、
前記梁型枠内にコンクリートを打設する工程と、を備えることを特徴とする鉄筋コンクリート造の柱梁架構の構築方法。
【請求項９】
請求項８記載の方法により構築されたことを特徴とする柱梁架構。
【発明の詳細な説明】
【技術分野】
【０００１】
本発明は、コンクリート造の柱梁架構において、梁を構成するコンクリートを打設する際に用いられる梁型枠ユニット及び梁型枠の支持方法に関する。
【背景技術】
【０００２】
従来より、鉄筋コンクリート造の柱梁架構からなる建物を、梁のコンクリートを現場打ちして構築する場合には、床上に支保工を構築し、この支保工により梁型枠を支持して、梁型枠内にコンクリートを打設していた。
【０００３】
このような方法として、例えば、特許文献１には、梁型枠を下方より支持する架構を設け、この架構を、柱近傍に設けられた床面より鉛直方向に延びる支柱と、架構の中央と床面の柱近傍とを結ぶよう設けられた斜材とで支持することにより、下階の梁中央に作用する曲げモーメントを小さくする方法が記載されている。
【特許文献１】特公平３―７１５４６号公報
【発明の開示】
【発明が解決しようとする課題】
【０００４】
しかしながら、特許文献１記載の方法では、梁型枠内に打設したコンクリートの荷重が支保工を介して下階の梁床に伝達されるため、下階の梁床のコンクリートの打設もしくは養生が完了していなければ、支柱及び斜材を設置することができず、梁の型枠の取り付けを行うことができないという問題があった。
【０００５】
本発明は上記の問題に鑑みなされたものであり、その目的は、下階の梁床のコンクリート打設が完了していなくても、設置可能な梁型枠の支持構造を提供することである。
【課題を解決するための手段】
【０００６】
本発明の梁型枠の支持構造は、コンクリート造の建物の梁を構成するコンクリートを打設するための梁型枠を、下階の梁や床のコンクリートの打設が完了していない状態で設置するための梁型枠の支持構造であって、前記梁型枠を構築が完了した柱又は壁に反力を取って支持する支持部を備えてなることを特徴とする。なお、コンクリート造の建物とは鉄筋コンクリート造、鉄骨コンクリート造、鉄骨鉄筋コンクリート造、又はこれらの混合構造の建物を意味する。
【０００７】
上記の梁型枠の支持構造において、前記支持部は、前記梁型枠を下方より支持する型枠受部材と、前記型枠受部材と、前記柱又は壁の前記型枠受部材よりも下方の位置との間を結ぶように設けられた支持部材と、を有してもよい。
上記の梁型枠の支持構造において、前記支持部は、前記梁型枠を下方より支持する型枠受部材と、前記柱又は壁に設けられ、前記型枠受部材を下方より支持する型枠受支持部材と、を有してもよい。
また、前記支持部は、前記梁型枠を下方より支持する型枠受部材と、前記柱又は壁の表面より突出し、前記型枠受部材を下方より支持する突出部材と、を有してもよい。
【０００８】
前記支持部は、前記梁型枠を下方より支持する型枠受部材と、前記型枠受部材と、前記柱又は壁の前記型枠受部材よりも上方の位置との間を結ぶように設けられた支持部材と、を有してもよい。
また、前記柱はＰＣ部材を用いて構築されていてもよい。なお、本発明におけるＰＣ部材は、全体がプレキャストコンクリートとして構築されている場合だけではなく、柱を構成するコンクリートの少なくとも一部がプレキャストコンクリートにより構築されている場合も含み、例えば、柱の中間部よりも下方のコンクリートのみがプレキャストコンクリートであり、それよりも上方はコンクリートが存在せず、鉄筋が露出しているような場合も含む。
【０００９】
また、本発明の梁型枠の支持方法は、コンクリート造の建物の梁を構成するコンクリートを打設するための梁型枠を、下階の梁や床のコンクリートの打設が完了していない状態で支持する方法であって、前記梁型枠を構築が完了した柱又は壁に反力を取って支持することを特徴とする。
【００１０】
また、本発明の梁型枠ユニットは、コンクリート造の建物の梁を構成するコンクリートを打設するための梁型枠を、下階の梁や床のコンクリートの打設が完了していない状態で設置するための梁型枠ユニットであって、前記梁の外周面の少なくとも一部に沿うように設置された梁型枠と、前記梁型枠を構築が完了した柱又は壁に反力を取って支持する支持部と、を備えることを特徴とする。
【００１１】
また、本発明の柱梁架構の構築方法は、コンクリート造の柱梁架構を構築する方法であって、前記柱を構築する工程と、前記構築した柱の間に梁筋を配筋する工程と、下階の梁や床のコンクリートの打設が完了していない状態で、前記構築した柱又は構築済みの壁に反力を取って支持されるように梁型枠を設置する工程と、前記梁型枠内にコンクリートを打設する工程と、を備えることを特徴とする。
また、本発明の柱梁架構は、上記の方法により構築されたことを特徴とする。
【発明の効果】
【００１２】
本発明によれば、梁型枠及び梁型枠内に打設されたコンクリートの荷重を柱に反力を取りながら支持することができるため、下階の梁や床が構築されていなくても、梁型枠を設置し、梁型枠内にコンクリートを打設することができる。
【発明を実施するための最良の形態】
【００１３】
以下、本発明の型枠ユニットの一実施形態について説明する。
本実施形態では、柱をフルＰＣ部材を用いて構築し、現場における梁筋の配筋、型枠の設置、及びコンクリートの打設によって梁の構築を行うことにより、鉄筋コンクリート造の柱梁架構を構築する場合を例として説明する。
図１は、柱梁架構に設置された本実施形態の型枠ユニット１００の正面図であり、図２は、図１におけるII−II´断面図である。また、図３は、図２におけるIII部の拡大図であり、図４は、図１におけるIV部の拡大図であり、図５は、図２におけるＶ部の拡大図である。
図１及び図２に示すように、本実施形態の型枠ユニット１００は、構築する梁にあたる部位にコンクリートを打設するための空間を形成するとともに、打設されたコンクリートの荷重を支持するために用いられるものである。
【００１４】
図１及び図２に示すように、梁を構成するコンクリートを打設するにあたり、当該梁を構築する階（以下、作業対象階という）又はそれ以上の階（本実施形態では作業対象階の直上の階）までの柱を構成するフルＰＣ柱部材が建て込まれている。また、作業対象階の下階の梁及び作業対象階のスラブは構築が完了していても、完了していなくてもよい。
本実施形態の型枠ユニット１００は、梁の外周に沿うように設置された型枠部４０と、型枠部４０を下方より支持する支持部５０とにより構成される。なお、図１において、作業対象階及びその下階の紙面垂直方向に延びる梁の梁型枠と、作業対象階の下階の紙面左右方向に延びる梁及び梁型枠とについては図示を省略している。また、図２において、作業対象階及びその下階の紙面左右方向に延びる梁及び梁型枠と、作業対象階の下階の紙面垂直方向に延びる梁の梁型枠とについては図示を省略している。
【００１５】
図３に示すように、型枠部４０は、配筋の完了した梁筋の外周を取り囲み、コンクリートを打設するための空間を形成する梁型枠本体２０と、梁型枠本体２０の形状を保持するための型枠保持部３０とから構成される。
【００１６】
梁型枠本体２０は、梁の側面に当たる位置に配置された側面材２１と、梁の下面に当たる位置に配置された下面材２２と、側面材２１の外面に当接して梁の長さ方向に延びるタイロッド（不図示）により取り付けられた複数の横材２３及びパイプ部材２４Ａと、下面材２２の下面に当接して梁の長さ方向に延びる根太材２５と、からなる。
【００１７】
型枠保持部３０は、上記の根太材２５及びパイプ部材２４Ａの下方に梁の長さ方向に適宜な間隔で梁幅方向に延びるように設けられた角パイプ３１と、先端に角パイプ３１を把持した状態と開放した状態とを切り替え可能な把持部３２Ａを備えるビームクランプ３２と、角パイプ３１とビームクランプ３２の間に斜めに架け渡された補強材３３とから構成される。ビームクランプ３２には、梁型枠本体２０の横材２３及びパイプ部材２４Ａが固定されている。また、ビームクランプ３２は、把持部３２Ａによる角パイプ３１の拘束を緩めることにより、補強材３３とともに角パイプ３１に沿って梁幅方向に移動することができ、また、適宜な位置で把持部３２Ａを拘束状態とすることにより、角パイプ３１に固定することができる。梁型枠本体２０内にコンクリートを打設する際には、ビームクランプ３２を所定の間隔に移動させ、把持部３２Ａを固定しておく。
【００１８】
梁型枠本体２０内にコンクリートを打設すると、下面材２２及び側面材２１にはコンクリートの圧力が作用するが、横材２３及びパイプ部材２４Ａが側面材２１を側方より支持し、また、根太材２５及びパイプ部材２４Ａが下方より下面材２２を支持する。さらに、角パイプ３１が根太材２５及びパイプ部材２４Ａを下方より支持し、また、ビームクランプ３２及び補強材３３が梁型枠本体２０の横材２３及びパイプ部材２４Ａを側方より支持するため、コンクリートの圧力による梁型枠本体２０の変形するのを防止することができる。
【００１９】
支持部５０は、角パイプ３１の下方に設けられたラチス架構５１（特許請求の範囲の型枠受部材に相当）と、ラチス架構５１の下部の梁の長さ方向両端部においてラチス架構５１を下方より支持するように取り付けられた受け材５２Ａと、ラチス架構５１の下部の梁の長さ方向中央部近傍においてラチス架構５１を下方より支持するように取り付けられた受け材５２Ｂと、受け材５２Ａ，５２Ｂの下部に取り付けられた斜材接続部５３Ａ，５３Ｂと、一端が斜材接続部５３Ａに回動自在に取り付けられ、伸縮機構を有する第１の斜材５４Ａと、一端が斜材接続部５３Ｂに回動自在に取り付けられ、伸縮機構を有する第２の斜材５４Ｂと、から構成される。なお、これら、第１の斜材５４Ａ及び第２の斜材５４Ｂが特許請求の範囲における支持部材に相当する。第１の斜材５４Ａ及び第２の斜材５４Ｂの他端には、接続部材５５Ａ、５５Ｂが回動可能に取り付けられており、接続部材５５Ａ、５５Ｂは斜材受け部６０を介してＰＣ柱部材２Ａに取り付けられている。なお、第１の斜材５４Ａ及び第２の斜材５４Ｂを回動させた際に干渉するのを防止するため、梁幅方向外側に第１の斜材５４Ａが、梁幅方向内側に第２の斜材５４Ｂが取り付けられている。
【００２０】
型枠部４０及び梁型枠本体２０内に打設されたコンクリートの荷重は、型枠保持部３０を介してラチス架構５１に作用する。この荷重に対して、受け材５２Ａ、５２Ｂと柱２に両端をピン接合された第１の斜材５４Ａ及び第２の斜材５４Ｂが突っ張り材として機能し、柱２に反力を取ることができるため、型枠部４０及び梁型枠本体２０内に打設されたコンクリートの荷重を柱２に伝達して、柱２に反力をとって支持することができる。なお、梁の長さ方向両端に取り付けられた受け材５３Ｂの下方には、車輪５７が取り付けられており、第１の斜材５４Ａ及び第２の斜材５４Ｂを格納した状態において、梁型枠ユニット１００をこの車輪５７により移動することができる。
【００２１】
以下、上記説明した梁型枠ユニット１００を用いた梁の構築方法について詳細に説明する。図６〜図９は梁型枠ユニット１００を用いた梁の構築方法を説明するための図である。なお、図６、図７は柱梁架構の正面図であり、図８（Ａ）は梁型枠ユニットの正面図であり、同図（Ｂ）は同図（Ａ）におけるVIII―VIII´断面図であり、図９（Ａ）は、柱梁架構の正面図であり、同図（Ｂ）は同図（Ａ）におけるIX―IX´断面図である。なお、図６、図７及び図９（Ａ）において、作業対象階及びその下階の紙面垂直方向に延びる梁の梁型枠と、作業対象階の下階の紙面左右方向に延びる梁及び梁型枠とについては図示を省略している。また、図９（Ｂ）において、作業対象階及びその下階の紙面左右方向に延びる梁及び梁型枠と、作業対象階の下階の紙面垂直方向に延びる梁の梁型枠とについては図示を省略している。
【００２２】
まず、図６に示すように、作業対象階及びその上階までＰＣ柱部材２Ａを用いて柱２を構築する。また、ＰＣ柱部材２Ａの所定の箇所には、斜材受け材６０を設置しておく。
次に、図７に示すように、ＰＣ柱部材２Ａ間の梁構築位置に、作業対象階の梁筋３の配筋作業を行う。なお、接続筋４と梁筋３とは機械式継手５により継手する。
【００２３】
次に、適宜な作業スペースにおいて、図８に示すように、第１の斜材５４Ａ及び第２の斜材５４Ｂを水平になるまで回動させた状態で、角パイプ３１上に梁の長さ方向に延びるように根太材２５及びパイプ部材２４Ｂを取り付け、根太材２５及びパイプ部材２４Ｂの上部に下面材２２を固定する。また、ビームクランプ３２及び補強材３３を外側に移動させて適宜間隔を設けた状態で、ビームクランプ３２の内周側に梁の長さ方向に延びるように横材２３及びパイプ材２４Ａを取り付け、横材２３及びパイプ材２４Ａの内周側に側面材２１を固定する。
【００２４】
次に、図９に示すように、揚重機（不図示）を用いて、吊り上げ冶具７０を介してラチス架構５１により型枠支持ユニット１００を下方より支持した状態で揚重し、柱２間を結ぶように配筋された梁筋３、４が側面材２１及び下面材２２により囲まれる空間内に位置するように、梁型枠支持ユニット１００を配置する。そして、第１の斜材５４Ａ及び第２の斜材５４Ｂを回転させるとともに、これらを適宜伸縮させて、第１の斜材５４Ａ及び第２の斜材５４Ｂの先端に取り付けられた接続部材５５Ａ、５５Ｂを斜材受け材６０に固定する。これにより、型枠支持ユニット１００が第１の斜材５４Ａ及び第２の斜材５４Ｂを介して、柱２に支持されることとなる。そして、ビームクランプ３２の把持部３２Ａを開放状態とし、側面材２１が取り付けられた状態のビームクランプ３２を側面材２１の表面の間隔が梁幅と等しくなるまで移動させた後、把持部３２Ａを拘束状態としてビームクランプ３２を角パイプ３１に固定する。これにより、図１及び図２に示すように、梁型枠本体２０が柱２に反力を取りながら支持された状態となる。
【００２５】
以上説明したように、本実施形態によれば、柱２に反力を取りながら、梁型枠本体２０を支持するため、下階の梁や床が構築されていなくても、梁型枠本体２０を支持することが可能となり、梁型枠本体２０内にコンクリートを打設することができる。このため、施工手順の自由度が向上するとともに、施工期間を短縮することができる。
【００２６】
また、柱２にのみ反力をとることにより、梁型枠本体２０内に打設したコンクリートの荷重が下階の梁や床に作用しないため、下階の梁に打設したコンクリートの強度発現を待つことなく、下階の梁の型枠の取り外しが可能になる。このため、施工を効率よく行うことができるとともに、梁型枠ユニット１００をすぐに他の部位に用いることができるため、梁型枠ユニット１００の数が少なくてもすむ。
【００２７】
なお、本実施形態では、柱梁架構１０の柱２をフルＰＣ柱部材２Ａを用いて構築するものとしたが、これに限らず、現場において、柱筋の配筋、柱型枠の設置、及びコンクリートの打設を行って構築してもよい。なお、この場合、柱２のコンクリートが梁型枠ユニット１００及び打設されたコンクリートを支持できるだけの強度を発現した後、梁型枠ユニット１００の取り付け及びコンクリートの打設を行えばよい。
【００２８】
また、本実施形態では、第１及び第２の斜材５４Ａ，５４Ｂにより下方から梁型枠本体２０を支持する構成としたが、これに限らず、例えば、図１０に示すように、柱２の表面より突出するように架構受部材７０（特許請求の範囲における型枠受支持部材に相当）を取り付け、この架構受部材７０上にラチス架構５１を載置して、ラチス架構５１下方より支持することにより、型枠部４０を支持する構成としてもよい。なお、図１０において作業対象階及びその下階の紙面垂直方向に延びる梁の梁型枠と、作業対象階の下階の紙面左右方向に延びる梁及び梁型枠とについては図示を省略している。
【００２９】
また、図１１に示すように、作業対象階の上階の柱２とラチス架構５１を結ぶように、斜材８０を設けて梁型枠本体２０を上階の柱２に反力を取って支持する構成としてもよい。なお、このように上階の柱２とラチス架構５１を結ぶ部材としては斜材に限られず、ＰＣ鋼線など引張耐力を有する部材であれば用いることができる。なお、図１１において作業対象階及びその下階の紙面垂直方向に延びる梁の梁型枠と、作業対象階の下階の紙面左右方向に延びる梁及び梁型枠とについては図示を省略している。
【００３０】
また、本実施形態では、柱２に反力を取って型枠部４０を支持する構成としたが、これに限らず、構築済みの壁に反力を取って、型枠部４０を支持する構成としてもよい。すなわち、図１に示す実施形態では、斜材５４Ａ，５４Ｂの端部を柱２の側方の壁に接続すればよく、図１０に示す実施形態では、架構受部材７０をラチス架構５１を下方より支持することができるように壁に取り付けられればよく、また、図１１に示す実施形態では、斜材８０の端部を上階の柱２の側方の壁に接続すればよい。
なお、上記の各実施形態では、梁筋３の配筋後に梁型枠ユニット１００を設置するものとしたが、これに限らず、梁型枠ユニット１００の設置後に梁筋３を配筋してもよい。
【００３１】
また、上記の各実施形態では、ＰＣ柱部材２Ａを建て込むことにより、柱梁仕口部及び柱を構築するものとしたが、柱梁仕口部をコンクリートを現場打ちして構築してもよい。さらに、図１２に示すように、複数階の柱２を構成するＰＣ柱部材２Ａを建て込み、ＰＣ柱部材２Ａの荷重を支持する荷重支持架構によりこれらＰＣ柱部材２Ａを支持しておき、これらＰＣ柱部材２Ａに反力をとるように、各階の梁に当たる位置に梁型枠ユニット１００を設置することも可能である。なお、図１２において作業対象階及びその下階の紙面垂直方向に延びる梁の梁型枠と、作業対象階の下階の紙面左右方向に延びる梁及び梁型枠とについては図示を省略している。
【００３２】
なお、上記の各実施形態では、柱２の全体がプレキャストコンクリートで構成されたＰＣ柱部材２Ａを用いる場合について説明したが、これに限らず、図１３に示すように、柱の中間部よりも下方のみがプレキャストコンクリートであり、それよりも上方はコンクリートが存在せず、鉄筋が露出しているようなＰＣ柱部材１０２Ａを用いてもよい。要するに、柱を構成するコンクリートの少なくとも一部がプレキャストコンクリートとして構築されているＰＣ部材であれば、本願発明におけるＰＣ部材に含まれる。
【００３３】
なお、上記の各実施形態では、仕口部が柱と一体に構成されたＰＣ柱部材２Ａを用いて柱を構築する場合について説明したが、これに限らず、仕口部及び柱を夫々構成するＰＣ仕口部材及びＰＣ柱部材を用いる場合であっても本発明を適用することができる。以下、このような場合の柱梁架構の構築方法を図１４〜図１７を参照しながら説明する。
【００３４】
まず、図１４に示すように、Ｎ＋１階の柱を構成するＰＣ柱部材１０２の上部に、Ｎ＋１階の見上げ梁を構成する梁主筋１０４と仕口部を構成するＰＣ部材とが一体となったＰＣ仕口部材１０３を建て込む。予め、梁主筋１０４の外周には、せん断補強筋１０６が取り付けられたＰＣ仕口部材１０３を用いており、機械式継手１０５に当たる部分の機械式継手は、梁の軸方向に移動可能に取り付けられている。
【００３５】
次に、図１５に示すように、ＰＣ仕口部材１０３から突出する梁主筋１０４同士を機械式継手１０５により継手する。そして、機械式継手１０５に当たる部分のせん断補強筋１０６を配筋する。なお、ＰＣ仕口部材１０３として、梁主筋１０４の外周にせん断補強筋１０６が取り付けられていないものを用いる場合には、この際、せん断補強筋１０６の取り付け作業を行えばよい。
【００３６】
次に、適宜な作業スペースにおいて、上記図８を参照して説明した場合と同様に、第１の斜材５４Ａ及び第２の斜材５４Ｂを水平になるまで回動させた状態で、角パイプ３１上に梁の長さ方向に延びるように根太材２５及びパイプ部材２４Ｂを取り付け、根太材２５及びパイプ部材２４Ｂの上部に下面材２２を固定する。また、ビームクランプ３２及び補強材３３を外側に移動させて適宜間隔を設けた状態で、ビームクランプ３２の内周側に梁の長さ方向に延びるように横材２３及びパイプ材２４Ａを取り付け、横材２３及びパイプ材２４Ａの内周側に側面材２１を固定する。
【００３７】
次に、図１６に示すように、揚重機（不図示）を用いて、吊り上げ冶具７１を介してラチス架構５１により型枠支持ユニット１００を下方より支持した状態で揚重し、柱２間を結ぶように配筋された梁主筋１０４が側面材２１及び下面材２２により囲まれる空間内に位置するように、梁型枠支持ユニット１００を配置する。そして、第１の斜材５４Ａ及び第２の斜材５４Ｂを回転させるとともに、これらを適宜伸縮させて、第１の斜材５４Ａ及び第２の斜材５４Ｂの先端に取り付けられた接続部材５５Ａ、５５Ｂを斜材受け材６０に固定する。これにより、型枠支持ユニット１００が第１の斜材５４Ａ及び第２の斜材５４Ｂを介して、柱２に支持されることとなる。そして、ビームクランプ３２の把持部３２Ａを開放状態とし、側面材２１が取り付けられた状態のビームクランプ３２を側面材２１の表面の間隔が梁幅と等しくなるまで移動させた後、把持部３２Ａを拘束状態としてビームクランプ３２を角パイプ３１に固定する。これにより、梁型枠本体２０が柱２に反力を取りながら支持された状態となる。
【００３８】
また、上記の工程と並行して、Ｎ＋１階の見下げ床（Ｎ階の見上げ床）のスラブ筋の配筋、段差型枠の設置、及びＮ＋１階の見下げ床及び見下げ梁のコンクリートの打設を行う。
【００３９】
次に、図１７に示すように、Ｎ＋２階の柱を構成するＰＣ柱部材１０２を建て込む。さらに、Ｎ＋２階の柱を構成するＰＣ柱部材１０２の上方に、Ｎ＋２階の見上げ梁の梁主筋１０４と仕口部を構成するＰＣ部材とが一体となったＰＣ仕口部材１０３を建て込む。
上記の工程を繰り返すことにより、柱梁架構を構築することができる。
【００４０】
かかる場合であっても、図１〜図１０を参照して説明した実施形態と同様の効果が得られる。
【００４１】
なお、上記の図１４〜図１７を参照して説明した実施形態において、Ｎ＋２階の柱を構成するＰＣ柱部材１０２を建て込む工程は、Ｎ＋１階の見上げ仕口部を構成するＰＣ仕口部材１０３を建て込んだ後、すぐに建て込むこととしてもよい。
【００４２】
なお、上記の各実施形態では、鉄筋コンクリート造の柱梁架構を構築する場合に本発明を適用した場合について説明したが、これに限らず、鉄骨コンクリート造、鉄骨鉄筋コンクリート造、及びこれらの混合構造の柱梁架構を構築する場合にも本発明を適用することができる。
【図面の簡単な説明】
【００４３】
【図１】柱梁架構に設置された本実施形態の型枠ユニットの正面図である。
【図２】図１におけるII−II´断面図である。
【図３】図２におけるIII部の拡大図である。
【図４】図１におけるIV部の拡大図である。
【図５】図２におけるV部の拡大図である。
【図６】梁型枠ユニットを用いた梁の構築方法を説明するための図であり、柱の建て込みが完了した状態を示す。
【図７】梁型枠ユニットを用いた梁の構築方法を説明するための図であり、梁筋の配筋が完了した状態を示す。
【図８】梁に当たる位置に設置する前の状態の梁型枠ユニットを示し、（Ａ）は正面図であり、（Ｂ）は（Ａ）におけるVIII―VIII´断面図である。
【図９】梁型枠ユニットを梁にあたる位置に設置している状態を示し、（Ａ）は正面図であり、（Ｂ）はIX―IX´断面図である。
【図１０】柱に取り付けた架構受部材により梁型枠を支持した場合の型枠ユニットを示す図である。
【図１１】上階の柱より梁型枠を支持した場合の型枠ユニットを示す図である。
【図１２】柱梁仕口部を現場打ちにより構築する場合に、複数階の柱を構成するＰＣ柱部材を建て込み、これらＰＣ柱部材を支持した状態で、これらＰＣ柱部材に反力をとるように、各階の梁に当たる位置に梁型枠ユニットを設置した様子を示す図である。
【図１３】柱の中間部よりも下方のみがプレキャストコンクリートであり、それよりも上方はコンクリートが存在せず、鉄筋が露出しているようなＰＣ柱部材を用いた場合を示す図である。
【図１４】梁型枠ユニットを用いた別の梁の構築方法を説明するための図であり、ＰＣ仕口部材の建て込みが完了した状態を示す。
【図１５】梁型枠ユニットを用いた別の梁の構築方法を説明するための図であり、梁主筋の接続及びせん断補強筋の配筋が完了した状態を示す。
【図１６】梁型枠ユニットを用いた別の梁の構築方法を説明するための図であり、梁型枠ユニットを取り付けた状態を示す。
【図１７】梁型枠ユニットを用いた別の梁の構築方法を説明するための図であり、ＰＣ柱部材を建て込んだ状態を示す。
【符号の説明】
【００４４】
２  柱                              ２Ａ  ＰＣ柱部材
３  梁筋                            ４  接続筋
５  機械式継手                      ２０  梁型枠本体
２１  側面材                        ２２  下面板
２３  横材                          ２４Ａ、２４Ｂ  パイプ部材
２５  根太材                        ３０  型枠保持部
３１  角パイプ                      ３２  ビームクランプ
３３  補強材                        ４０  型枠部
５０  支持部                        ５１  ラチス架構
５２Ａ，５２Ｂ  受け材              ５３Ａ，５３Ｂ  斜材接続部
５４Ａ  第１の斜材                  ５４Ｂ  第２の斜材
５５Ａ、５５Ｂ  接続部材            ５７  車輪
６０  斜材受け部                    ７０  架構受部材
８０  斜材                          １００  梁型枠ユニット
１０２  ＰＣ柱部材                  １０３  ＰＣ仕口部材
１０４  梁主筋                      １０５  機械式継手
１０６  せん断補強筋
【図１】
0005309797.tif 000002
【図２】
0005309797.tif 000003
【図３】
0005309797.tif 000004
【図４】
0005309797.tif 000005
【図５】
0005309797.tif 000006
【図６】
0005309797.tif 000007
【図７】
0005309797.tif 000008
【図８】
0005309797.tif 000009
【図９】
0005309797.tif 000010
【図１０】
0005309797.tif 000011
【図１１】
0005309797.tif 000012
【図１２】
0005309797.tif 000013
【図１３】
0005309797.tif 000014
【図１４】
0005309797.tif 000015
【図１５】
0005309797.tif 000016
【図１６】
0005309797.tif 000017
【図１７】
0005309797.tif 000018